(57)【要約】【課題】  多列偏心軸等への保持器付きころの組み込みが容易で、良好な組立性が得られる保持器付きころ及びころ組込治具の組み合わせ体を提供する。【解決手段】  この保持器付きころ及びころ組込治具の組み合わせ体１は、保持器付きころ２と、組込治具１０とでなる。保持器付きころ２は、円周方向の複数箇所にポケット５を有する環状の保持器３、および前記各ポケット５内に保持される複数のころ４からなる。組込治具１０は、保持器３の外径側に位置する環状とされる。各ポケット５内に保持されるころ４は、これらポケット５に未挿入の状態で、ころ組込治具１０と保持器３との間、またはころ組込治具１０に保持される。【選択図】      図２
2009097713.tif 000002
【特許請求の範囲】
【請求項１】
円周方向の複数箇所にポケットを有する環状の保持器、および前記各ポケット内に保持される複数のころからなる保持器付きころと、前記保持器の外径側に位置する環状のころ組込治具とでなり、前記各ポケット内に保持されるころを、これらポケットに未挿入の状態で前記ころ組込治具と前記保持器との間、または前記ころ組込治具に保持した保持器付きころ及びころ組込治具の組み合わせ体。
【請求項２】
請求項１において、前記各ころを、前記ころ組込治具と前記保持器との間、または前記ころ組込治具に保持した状態で、これら複数のころの配列の内接円径が、保持器の内径よりも大きい保持器付きころ及びころ組込治具の組み合わせ体。
【請求項３】
請求項１または請求項２において、前記ころ組込治具は、前記各ころを、前記ころ組込治具と前記保持器との間、または前記ころ組込治具に、外力を加えない自然状態では脱落不能に保持するものである保持器付きころ及びころ組込治具の組み合わせ体。
【請求項４】
請求項３において、前記保持器は、ポケットから前記ころが外径側へ脱落するのを阻止するころ止め部を有し、前記ころ組込治具は、前記保持器の前記ころ止め部ところ組込治具とでころの脱落を阻止するものである保持器付きころ及びころ組込治具の組み合わせ体。
【請求項５】
請求項１ないし請求項４のいずれか１項において、前記保持器は、外径側からポケット内にころを組み込み可能なものである保持器付きころ及びころ組込治具の組み合わせ体。
【請求項６】
請求項１ないし請求項５のいずれか１項において、前記保持器は、保持器案内形式として、内輪案内、外輪案内、および転動体案内のうちのいずれかの案内形式により、または全ての案内形式で使用可能なものとした保持器付きころ及びころ組込治具の組み合わせ体。
【請求項７】
請求項１ないし請求項６のいずれか１項において、前記ころ組込治具は、ころを保持器のポケット内に組み込んだ後、保持器から外すことが可能なものである保持器付きころ及びころ組込治具の組み合わせ体。
【請求項８】
請求項７において、前記ころ組込治具は、互いに軸方向に並ぶ２個の治具分割体からなり、これら治具分割体は、保持器の軸方向の端部の外周に位置する環状部と、この環状部から保持器軸方向の中央側に延びる櫛歯状の柱部とでなり、両治具分割体の柱部は、互いに対向して延び、これら対向して延びる２本の柱部の組の円周方向の並びの間に、前記ころを介在させる保持器付きころ及びころ組込治具の組み合わせ体。
【請求項９】
請求項１ないし請求項７のいずれか１項において、前記ころ組込治具は、前記保持器の外周に位置する環状の治具本体と、この治具本体に設けられて各ころを脱落阻止状態に保持するころ落ち防止手段と、このころ落ち防止手段によるころの保持を解除させて各ころを保持器のポケットに入れるころ挿入手段とを有する保持器付きころ及びころ組込治具の組み合わせ体。
【請求項１０】
請求項９において、前記ころ挿入手段が、前記ころ落ち防止手段で保持された複数のころの外周に位置するリング状ばね部材と、このリング状ばね部材の縮径を阻止解除可能に阻止するばね止めとでなる保持器付きころ及びころ組込治具の組み合わせ体。
【請求項１１】
請求項１０において、前記ころ組込治具は、治具本体と円周方向１つ割りのリング状ばね部材とでなり、前記治具本体は、保持器の軸方向の端部の外周に位置して外周面がばね止めとなる環状部と、この環状部から保持器軸方向の中央側に延びる櫛歯状の柱部とでなり、前記柱部は、保持器軸方向の中央側へ至るに従って保持器中心側へ近づくテーパ形状であり、前記リング状ばね部材は、前記治具本体の前記環状部の外径面に弾性的に締まり付勢状態に嵌合し、前記環状部から柱部上へ移動させることで、縮径して各ころを保持器のポケット内に押し込み可能である保持器付きころ及びころ組込治具の組み合わせ体。
【請求項１２】
請求項１０において、前記ころ組込治具は、治具本体と、円周方向一つ割りのリング状ばね部材と、このリング状ばね部材の割り部に挿脱可能に介挿されるばね止めとでなり、前記治具本体は、保持器の軸方向の両端の外周に位置する一対の環状部と、保持器軸方向に延びて両環状部をつなぐ複数の柱部とでなり、前記柱部は、保持器軸方向の中間部に前記リング状ばね部材が嵌合可能な凹部を有し、前記リング状ばね部材は、その割り部に前記ばね止めを介挿させた状態で拡径して前記治具本体の柱部の凹部に嵌まり、前記ばね止めを前記割り部から除去することで、縮径して各ころを保持器のポケット内に押し込み可能である保持器付きころ及びころ組込治具の組み合わせ体。
【請求項１３】
請求項１ないし請求項１２のいずれか１項において、前記保持器付きころは、偏心部が複数並ぶ多列入力偏心軸、および鍔付き内輪のうちのいずれかに使用可能である保持器付きころ及びころ組込治具の組み合わせ体。
【発明の詳細な説明】
【技術分野】
【０００１】
この発明は、減速機におけるクランク軸の支持などに用いられる保持器付きころと、ころ組込治具とを組み合わせた組み合わせ体に関する。
【背景技術】
【０００２】
従来、内接式遊星歯車機構と円弧系歯車の組み合わせからなる多列減速機においては、その入力偏心軸を支持する軸受として、偏心内輪付きの軸受を使用していた。しかし、偏心内輪付きの軸受の場合、コストの面で問題があるので、偏心軸に内輪を組み込んだ軸受形式のものに変更され、現在では、偏心軸を直接転走面とする保持器付き針状ころ形式の軸受が主流となっている。
【０００３】
しかし、保持器付き針状ころ形式の軸受を前記した偏心軸に組み込む場合、２列以上の偏心軸が並ぶ構造では、偏心軸の両サイドから組み込むことになるので、組立に時間がかかる。このような使用例において、一方向から偏心軸を乗り越えて軸受を組み込むことができれば、一方向からすべての軸受を組み立てて行けるため、組立時間の短縮になる。
【０００４】
前記使用例において、図１９のように保持器付き針状ころ形式の軸受４２で偏心軸５０を通り抜ける場合、図２０のように、ころ４４が保持器４３のポケット４５内で最も外径側に寄った状態が最大内接円径ｄ１となり、この最大内接円径ｄ１が大きければ大きいほど軸受４２が偏心軸５０を乗り越え易い。
【０００５】
また、前記使用例において、例えば、二つ割れ保持器付き針状ころ（特許文献１）を用いれば偏心軸に容易に組み込むことができる。
【特許文献１】特開２００４−２３２７２４号公報
【発明の開示】
【発明が解決しようとする課題】
【０００６】
前記した二つ割れ保持器付き針状ころ受の場合、外輪（ハウジング）を組み込むまでは軸受を押えておかなければ軸受がバラバラになってしまい、組立性が悪いという問題がある。また、割り部があるため一般的に通常の保持器よりも負荷容量が小さい。
そこで、軸に先に組み込む軸受の場合、図２０のような一体保持器４３を用いた保持器付き針状ころ形式の軸受４２の方が組み立て易い。しかし、一体保持器とした保持器付き針状ころ形式の軸受の場合、その最大内接円径ｄ１（図２０）は外径側へのころ脱落防止のころ止めとの関係から、最大内接円径ｄ１の寸法設定には限界がある。すなわち、最大内接円径ｄ１を大きくし過ぎると外径側のころ止めの意味が無くなり、外径側にころが脱落する。なお、従来の設計では、基本的に最大内接円径ｄ１より、保持器４３の内径ｄ２（図２０）の方が大きい。
【０００７】
この発明の目的は、多列偏心軸等への保持器付きころの組み込みが容易で、良好な組立性が得られる保持器付きころ及びころ組込治具の組み合わせ体を提供することである。
【課題を解決するための手段】
【０００８】
この発明の保持器付きころ及びころ組込治具の組み合わせ体は、円周方向の複数箇所にポケットを有する環状の保持器、および前記各ポケット内に保持される複数のころからなる保持器付きころと、前記保持器の外径側に位置する環状のころ組込治具とでなり、前記各ポケット内に保持されるころを、これらポケットに未挿入の状態で前記ころ組込治具と前記保持器との間、または前記ころ組込治具に保持したものである。
この構成によると、保持器付きころのころが、保持器のポケットに未挿入の状態で、ころ組込治具と保持器との間、またはころ組込治具に保持されるので、組み込み時に、軸受としての最小内径を、例えばころの内接円径ではなく保持器の内径とすることができる。そのため、多列偏心軸に軸受として保持器付きころを組み込むような場合でも、多列偏心軸の一方向から偏心軸を乗り越えて容易に組み込むことができる。このような保持器付きころの使用例では、保持器だけを先に多列偏心軸に組み込んだ後で、保持器の各ポケットに外径側からころを１本ずつ押し込むことにより組み込むこともできるが、それでは工数と時間が多くかかる。また、ころを押し込むときに、ころの脱落や入れ忘れなどの不具合もあり得る。この保持器付きころ及びころ組込治具の組み合わせ体によると、ころ組込治具でころが保持されるため、前記のような不具合が生じず、多列偏心軸等への保持器付きころの組み込みが容易で、良好な組立性が得られる。
【０００９】
この発明において、前記各ころを、前記ころ組込治具と前記保持器との間、または前記ころ組込治具に保持した状態で、これら複数のころの配列の内接円径が、保持器の内径よりも大きいものとしても良い。このように、ころ配列の内接円径を保持器の内径よりも大きくした場合、多列偏心軸に軸受として保持器付きころを組み込むような場合でも、多列偏心軸の一方向から偏心軸を乗り越えて容易に組み込むことができる。
【００１０】
この発明において、前記ころ組込治具は、前記各ころを、前記ころ組込治具と前記保持器との間、または前記ころ組込治具に、外力を加えない自然状態では脱落不能に保持するものであっても良い。この構成の場合、保持器付きころ及びころ組込治具の組み合わせ体の状態で、多列偏心軸等に保持器を組み込むまで、ころがバラけることなく前記保持状態に確実に維持されることとなり、組込性がより向上する。
【００１１】
この発明において、前記保持器は、ポケットから前記ころが外径側へ脱落するのを阻止するころ止め部を有し、前記ころ組込治具は、前記保持器の前記ころ止め部ところ組込治具とでころの脱落を阻止するものであっても良い。このように保持器のころ止め部を利用することにより、ころ組込治具によるころの保持が簡単な構成で行える。
【００１２】
この発明において、前記保持器が、外径側からポケット内にころを組み込み可能なものであっても良い。外径側からポケット内にころを組み込み可能とすることで、ころ組込治具で保持されたころを、ポケット内に簡単に入れることができる。
【００１３】
この発明において、前記保持器は、保持器案内形式として、内輪案内、外輪案内、および転動体案内のうちのいずれかの案内形式により、または全ての案内形式で使用可能なものとしても良い。
【００１４】
この発明において、前記ころ組込治具は、ころを保持器のポケット内に組み込んだ後、保持器から外すことが可能なものである。また、保持器から外したころ組込治具を、他の保持器付きころと組み合わせることで、別の保持器付きころ及びころ組込治具の組み合わせ体を構成することができ、ころ組込治具の必要個数を少なくできる。
【００１５】
この発明において、前記ころ組込治具は、互いに軸方向に並ぶ２個の治具分割体からなり、これら治具分割体は、保持器の軸方向の端部の外周に位置する環状部と、この環状部から保持器軸方向の中央側に延びる櫛歯状の柱部とでなり、両治具分割体の柱部は、互いに対向して延び、これら対向して延びる２本の柱部の組の円周方向の並びの間に、前記ころを介在させるものとしても良い。
この構成の場合、ころ組込治具の２個の治具分割体を、互いに円周方向にずらすことなどによって、各治具分割体の柱部から各ころに外力を加え、各ころを保持器のポケット内に押し込むことができる。
【００１６】
この発明において、前記ころ組込治具は、前記保持器の外周に位置する環状の治具本体と、この治具本体に設けられて各ころを脱落阻止状態に保持するころ落ち防止手段と、このころ落ち防止手段によるころの保持を解除させて各ころを保持器のポケットに入れるころ挿入手段とを有するものとしても良い。
このように、ころ落ち防止手段およびころ挿入手段を設けることで、保管時のころの保持、および軸等への組み込み時の保持器へのころの挿入が良好に行える。
【００１７】
この発明において、前記ころ挿入手段が、前記ころ落ち防止手段で保持された複数のころの外周に位置するリング状ばね部材と、このリング状ばね部材の縮径を阻止解除可能に阻止するばね止めとでなるものとしても良い。
ころ挿入手段がリング状ばね部材とばね止めとでなると、円滑でかつ操作性良く、保持器へのころの挿入が行える。
【００１８】
この発明において、前記ころ組込治具は、治具本体と円周方向１つ割りのリング状ばね部材とでなり、前記治具本体は、保持器の軸方向の端部の外周に位置して外周面がばね止めとなる環状部と、この環状部から保持器軸方向の中央側に延びる櫛歯状の柱部とでなり、前記柱部は、保持器軸方向の中央側へ至るに従って保持器中心側へ近づくテーパ形状であり、前記リング状ばね部材は、前記治具本体の前記環状部の外径面に弾性的に締まり付勢状態に嵌合し、前記環状部から柱部上へ移動させることで、縮径して各ころを保持器のポケット内に押し込み可能としたものでも良い。
この構成の場合、リング状ばね部材を、治具本体の環状部の外径面から柱部上へ移動させることで、リング状ばね部材が縮径して各ころを保持器のポケット内に押し込むことができる。
【００１９】
この発明において、前記ころ組込治具は、治具本体と、円周方向一つ割りのリング状ばね部材と、このリング状ばね部材の割り部に挿脱可能に介挿されるばね止めとでなり、前記治具本体は、保持器の軸方向の両端の外周に位置する一対の環状部と、保持器軸方向に延びて両環状部をつなぐ複数の柱部とでなり、前記柱部は、保持器軸方向の中間部に前記リング状ばね部材が嵌合可能な凹部を有し、前記リング状ばね部材は、その割り部に前記ばね止めを介挿させた状態で拡径して前記治具本体の柱部の凹部に嵌まり、前記ばね止めを前記割り部から除去することで、縮径して各ころを保持器のポケット内に押し込み可能としても良い。
この構成の場合、治具本体の柱部の凹部に拡径した状態で嵌まっているリング状ばね部材の割り部からばね止めを除去することで、リング状ばね部材がその弾性復元力で縮径して、各ころを保持器３のポケット内に押し込むことができる。
【００２０】
この発明において、前記保持器付きころが、偏心部が複数並ぶ多列入力偏心軸、および鍔付き内輪または鍔一体型軸のうちのいずれかに使用可能なものであっても良い。
【発明の効果】
【００２１】
この発明の保持器付きころ及びころ組込治具の組み合わせ体は、円周方向の複数箇所にポケットを有する環状の保持器、および前記各ポケット内に保持される複数のころからなる保持器付きころと、前記保持器の外径側に位置する環状のころ組込治具とでなり、前記各ポケット内に保持されるころを、これらポケットに未挿入の状態で前記ころ組込治具と前記保持器との間、または前記ころ組込治具に保持したため、多列偏心軸等への保持器付きころの組み込みが容易で、良好な組立性が得られる。
【発明を実施するための最良の形態】
【００２２】
この発明の一実施形態を図１ないし図８と共に説明する。図１（Ａ）はこの実施形態の保持器付きころ及びころ組込治具の組み合わせ体の側面図を示し、図１（Ｂ）はその組み合わせ体の斜視図を示す。この保持器付きころ及びころ組込治具の組み合わせ体１は、保持器付きころ２ところ組込治具１０を互いに組み合わせたものである。
保持器付きころ２は、図５（Ａ），（Ｂ）に部分側面断面図および部分正面断面図で示すように、円周方向の複数箇所にポケット５を有する環状の保持器３と、各ポケット５内に保持される複数の針状のころ４とでなる。ころ４は、針状のころに限らず、円筒ころであっても良い。各ポケット５間の柱部６の両側面には、ポケット５内に挿入されたころ４が内径側へ脱落するのを阻止する内径側ころ止め部５ａと、外径側に脱落するのを阻止する外径側ころ止め部５ｂとが、それぞれ突起状部分として形成されている。ころ止め部５ａ，５ｂは、いずれも、保持器幅方向に離れて複数設けられていても、また１箇所であっても良い。ころ４は、これら両ころ止め部５ａ，５ｂに係合することで、ポケット５内に保持される。また、保持器３は、外径側からころ４を押し込むことにより、前記外径側ころ止め部５ｂを乗り越えてポケット５内にころ４が組み込み可能なように、若干の弾性変形が可能なように構成されている。保持器３の材質は、合成樹脂製であっても、また金属製であっても良い。
【００２３】
この保持器付きころ２は、保持器３の案内形式として、図６（Ａ）のように内輪２１に案内される内輪案内、図６（Ｂ）のように外輪２２に案内される外輪案内、および図６（Ｃ）のようにころ４に案内される転動体案内のいずれかの案内形式のものとされる。また、これら３種類の案内形式のうちの任意の２種類または３種類の全てで使用可能なものとしても良い。
【００２４】
ころ組込治具１０は、前記保持器３の外径側に位置する環状の部材であって、保持器３の各ポケット５内に保持されるころ４を、これらポケット５に未挿入の状態でころ組込治具１０と保持器３との間に保持する機能を持つ。ここで言う「未挿入の状態」は、完全には挿入されていない状態のことであり、ころ４の一部がポケット５内に入っていても良い。なお、図１では、ころ組込治具１０が、ころ４をころ組込治具１０と保持器３との間に保持した状態を示す。この保持器付きころ及びころ組込治具の組み合わせ体１は、図１の状態で製品として扱われる。
【００２５】
この実施形態では、ころ組込治具１０は、図１のように互いに軸方向に並ぶ２個の治具分割体１１からなる。これら治具分割体１１は、保持器３の軸方向の端部の外周に位置する環状部１２と、この環状部１２から保持器軸方向の中央側に延びる複数の櫛歯状の柱部１３とでなる。両治具分割体１１の柱部１３は、互いに対向して延び、これら対向して延びる２本の柱部１３の組の円周方向の並びの間にころ４を介在させる。
【００２６】
図２（Ａ），（Ｂ）は、前記ころ組込治具１０が、ころ４をポケット５に未挿入の状態で、ころ組込治具１０と保持器３との間に保持した状態を、部分側面断面図および部分正面断面図で示したものである。治具分割体１１の各柱部１３の両側面には、ころ４が外径側へ脱落するのを阻止するころ止め部１３ａが、突起状部分として形成されている。ころ組込治具１０は、図２（Ｂ）のように、保持器３の外径側ころ止め部５ｂところ組込治具１０のころ止め部１３ａとの間にころ４を保持することで、ころ４の、保持器内外径の両側に対して脱落を阻止する。これにより、ころ４は、外力を加えない自然状態では脱落不能に保持される。なお、ころ組込治具１０は、ころ４を保持器径方向の内側へ押し込む外力を加えると、若干の弾性変形をして、ころ４がころ止め部１３ａを乗り越え可能なものとされる。また、このころ保持状態で、複数のころ４の配列の内接円径が保持器３の内径よりも大きくなるように、ころ４の保持位置が設定される。組込治具１０の材質は、合成樹脂製であっても、また金属製であっても良い。
【００２７】
図３および図４は、ころ組込治具１０と保持器３との間に保持された各ころ４を、外力を加えることによって、保持器３の各ポケット５内に挿入した状態を示す斜視図および部分正面断面図である。この実施形態では、ころ組込治具１０の２個の治具分割体１１を、互いに円周方向にずらすことで、各治具分割体１１の柱部１３から各ころ４に外力を加えることによって、ころ４を保持器３のポケット５内に挿入する。治具分割体１１の各柱部１３の側面は、ころ止め部１３ａを含めて、このころ止め部１３ａの先端よりも内径側の部分の柱部間の幅が次第に広がる傾斜案内面に形成されており、前記のように２個の治具分割体１１を互いに円周方向にずらすことで、前記の傾斜案内面の作用で、各ころ４に対して、保持器３のポケット５に押し込む外力を与える。ポケット５内に挿入されたころ４は、図４のように、保持器３の内外径のころ止め部５ａ，５ｂに係合することで、ポケット５内に保持される。
【００２８】
ころ組込治具１０は、図３および図４に示すように、ころ４を保持器３のポケット５内に組み込んだ後、保持器３から外すことが可能なものとされている。この実施形態では、２個の治具分割体１１を、保持器３の外周から軸方向に引き抜くことにより、保持器３から取り外し可能とされる。図５（Ａ），（Ｂ）は、ころ組込治具１０を保持器３から外した後の保持器付きころ２を示す。
【００２９】
この構成の保持器付きころ及びころ組込治具の組み合わせ体１によると、図１および図２に示すように、保持器付きころ２のころ４が、保持器３のポケット５に未挿入の状態でころ組込治具１０と保持器３との間に保持されるので、軸受としての最小内径がころ４の内接円径ではなく保持器３の内径となる。そのため、多列偏心軸に軸受として保持器付きころ２を組み込むような場合でも、多列偏心軸の一方向から偏心軸を乗り越えて容易に組み込むことができる。このような保持器付きころ２の使用例では、保持器３だけを先に多列偏心軸に組み込んだ後で、保持器３の各ポケット５に外径側からころ４を１本ずつ押し込むことにより組み込むこともできるが、それでは工数と時間が多くかかる。また、ころ４を押し込むときに、ころ４の脱落や入れ忘れなどの不具合もあり得る。この保持器付きころ及びころ組込治具の組み合わせ体１によると、そのような不具合は生じない。その結果、多列偏心軸等への保持器付きころ２の組み込みが容易で、良好な組立性が得られる。      
【００３０】
この実施形態では、ころ組込治具１０が、各ころ４を、ころ組込治具１０と保持器３との間に、外力を加えない自然状態では脱落不能に保持するものとしているので、保持器付きころ及びころ組込治具の組み合わせ体１の状態で、多列偏心軸等に保持器３を組み込むまで、各ころ４がバラけることなく前記保持状態に確実に維持されることとなり、組込性がより向上する。
【００３１】
また、この実施形態では、ころ４を保持器３のポケット５内に組み込んだ後、保持器３からころ組込治具１０を外すことが可能なようにしているので、ころ４を外輪に転接させるのに、ころ組込治具１０が邪魔になることがない。また、保持器３から外したころ組込治具１０を、他の保持器付きころ２と組み合わせることで、別の保持器付きころ及びころ組込治具の組み合わせ体１を構成することができ、ころ組込治具１０の必要個数を少なくできる。
【００３２】
図７は、この実施形態の保持器付きころ及びころ組込治具の組み合わせ体１を用いて、内接式遊星歯車機構と円弧系歯車との組合せの多列減速機における多列入力偏心軸３０に、保持器付きころ２を軸受として組み込んだ例を示している。この場合の多列減速機は、偏心部３０ａが複数（ここでは３箇所）並ぶ多列入力偏心軸３０と、その各偏心部３０ａに前記保持器付きころ２を介して支持される図示しない円弧系歯車と、この円弧系歯車に噛み合う図示しない内接式遊星歯車機構とを有する。多列入力偏心軸３０は、例えばクランク軸である。多列入力偏心軸３０の回転により、円弧系歯車が揺動し、その揺動で内接式遊星歯車機構を回転することにより、多列入力偏心軸３０に入力される回転が、減速されて内接式遊星歯車機構に伝達される。
【００３３】
図８は、この実施形態の保持器付きころ及びころ組込治具の組み合わせ体１を用いて、鍔付き内輪３１に保持器付きころ２を軸受として組み込んだ例を示している。この場合、保持器３の内径が、鍔付き内輪３１の鍔部３１ａの外径より大きくされている。このため、前記のころ組込治具１０（図１）の作用により、鍔付き内輪３１に保持器付きころ２を容易に組み込むことができる。
【００３４】
なお、この実施形態では、保持器３のポケット５内に保持されるころ４を、ポケット５に未挿入の状態で、図２のようにころ組込治具１０と保持器３との間に保持した例を示したが、図９のようにころ組込治具１０だけでころ４を保持するようにしても良い。この場合、例えばころ組込軸１０における治具分割体１１の軸方向に延びる柱部１３の両側面に、外径側および内径側のころ止め部１３ａ，１３ｂを突起状部分として形成し、これら両ころ止め部５ａ，５ｂにころ４を係合させることにより、ころ組込治具１０だけでころ４を保持する。
【００３５】
図１０ないし図１３は、この発明の他の実施形態を示す。図１０（Ａ）はこの実施形態の保持器付きころ及びころ組込治具の組み合わせ体の側面図を示し、図１０（Ｂ）はその組み合わせ体の斜視図を示す。この保持器付きころ及びころ組込治具の組み合わせ体１Ａにおいて、保持器付きころ２の構成については先の実施形態の場合と同様であり、ここではその説明を省略する。
ころ組込治具１０は、治具本体１４と、円周方向一つ割りのリング状ばね部材１５とでなる。治具本体１４は、保持器３の軸方向の端部の外周に位置して外周面がばね止め１６ｂとなる環状部１６と、この環状部１６から保持器軸方向の中央側に延びる櫛歯状の柱部１７とでなる。柱部１７は、保持器軸方向の中央側に至るに従い、保持器３の中心側へ近づくテーパ形状の側面形状とされている。
【００３６】
リング状ばね部材１５は、治具本体１４の環状部１６の外径面に弾性的に締まり付勢状態に嵌合し、環状部１６から柱部１７上へ移動させることで、縮径して各ころ４を保持器３のポケット５内に押し込み可能である。上記環状部１６の外周面からなるばね止め１６ｂと上記リング状ばね部材１５とで、ころ挿入手段３１が構成される。
【００３７】
図１１（Ａ），（Ｂ）は、前記ころ組込治具１０が、ころ４をポケット５に未挿入の状態でころ組込治具１０と保持器３との間に保持した状態を、部分側面断面図および部分正面断面図で示したものである。治具本体１４における柱部１７の先端には、環状部１６から柱部１７上へ移動したリング状ばね部材１５を保持器軸方向の中央部で停止させるストッパ部１７ａが、外径側へ突出する突部として形成されている。治具本体１４の各柱部１７の両側面には、ころ４が外径側へ脱落するのを阻止するころ落ち防止手段であるころ止め部１７ｂが、突起状部分として形成されている。治具本体１４における環状部１６の柱部１７が延びる側とは反対側の端部には、リング状ばね部材１５が環状部１６から脱落するのを阻止する鍔部１６ａが形成されている。
ころ組込治具１０は、図１１（Ｂ）のように、保持器３の外径側ころ止め部５ｂところ組込治具１０のころ止め部１７ｂとの間にころ４を保持することで、ころ４の脱落を阻止する。これにより、ころ４は、外力を加えない自然状態では脱落不能に保持される。また、このころ保持状態で、複数のころ４の配列の内接円径が保持器３の内径よりも大きくなるように、ころ４の保持位置が設定される。
【００３８】
図１２（Ａ），（Ｂ）および図１３は、ころ組込治具１０と保持器３との間に保持された各ころ４を、リング状ばね部材１５の移動で、保持器３の各ポケット５内に挿入した状態を示す側面図、斜視図および部分正面断面図である。この場合、治具本体１４の環状部１６から柱部１７に移動したリング状ばね部材１５が弾性復元力で縮径することによって、ころ４を保持器３のポケット５内に挿入する。これらリング状ばね部材１５と、このリング状ばね部材１５の縮径を阻止解除可能に阻止するばね止め１６ｂとは、脱落阻止状態に保持されたころ４の保持を解除させて、各ころ４を保持器３のポケット５に入れるころ挿入手段３１を構成する。ポケット５内に挿入されたころ４は、図１３のように、保持器３の内外径のころ止め部５ａ，５ｂに係合することで、ポケット５内に保持される。
【００３９】
この場合も、ころ組込治具１０は、図１２および図１３に示すように、ころ４を保持器３のポケット５内に組み込んだ後、保持器３の外周から軸方向に引き抜くことにより、保持器３から取り外し可能とされる。その他の構成および作用効果は先の実施形態の場合と同様である。
【００４０】
図１４ないし図１８は、この発明のさらに他の実施形態を示す。図１４（Ａ）はこの実施形態の保持器付きころ及びころ組込治具の組み合わせ体の側面図を示し、図１４（Ｂ）はその組み合わせ体の斜視図を示す。この保持器付きころ及びころ組込治具の組み合わせ体１Ｂにおいて、保持器付きころ２の構成については先の実施形態の場合と同様であり、ここではその説明を省略する。
ころ組込治具１０は、治具本体２４と、円周方向一つ割りのリング状ばね部材２５と、このリング状ばね部材２５の割り部２５ａに挿脱可能に介挿されるばね止め２８とでなる。これらリング状ばね部材２５とばね止め２８とで、ころ挿入手段３１Ａが構成される。治具本体２４は、保持器３の軸方向の両端の外周に位置する一対の環状部２６，２６と、保持器軸方向に延びて両環状部２６をつなぐ複数の柱部２７とでなる。柱部２７は、保持器軸方向の中間部に、リング状ばね部材２５が嵌合可能な凹部２７ａを有する。
【００４１】
リング状ばね部材２５は、その割り部２５ａに前記ばね止め２８を介挿させた状態で拡径して治具本体２４の柱部２７の凹部２７ａに嵌まり、ばね止め２８を前記割り部２５ａから除去することで、縮径して各ころ４を保持器３のポケット５内に押し込み可能である。
【００４２】
図１５（Ａ），（Ｂ）は、前記ころ組込治具１０がころ４を保持した状態を示す部分側面断面図および部分正面断面図である。図１６は、ころ４を保持したころ組込治具１０と、ポケット５にころ４が未挿入の保持器３とを組み合わせた組み合わせ体１Ｂを示す部分正面断面図である。治具本体２４の各柱部２７の両側面には、ころ４が内径側へ脱落するのを阻止するころ落ち防止手段であるころ止め部２７ｂが、突起状部分として形成されている。
ころ組込治具１０は、図１５（Ｂ）のように、治具本体２４の各柱部２７の両側面のころ止め部２７ｂでころ４を保持することで、ころ４が内径側に脱落するのを阻止する。また、図１６のように、ばね止め２８で拡径状態となってころ４の配列部の外周側に位置するリング状ばね部材２５は、ころ４が外径側に脱落するのを阻止する。これにより、ころ４は、外力を加えない自然状態では脱落不能に保持される。また、このころ保持状態で、複数のころ４の配列の内接円径が保持器３の内径よりも大きくなるように、ころ４の保持位置が設定される。
【００４３】
図１７（Ａ），（Ｂ）および図１８は、ころ組込治具１０と保持器３との間に保持された各ころ４を、リング状ばね部材２５の縮径で、保持器３の各ポケット５内に挿入した状態を示す側面図、斜視図および部分正面断面図である。この場合、治具本体２４の柱部２７の凹部２７ａに拡径した状態で嵌まっているリング状ばね部材２５の割り部２５ａから、ばね止め２８を除去することで、リング状ばね部材２５がその弾性復元力で縮径して、各ころ４を保持器３のポケット５内に挿入する。すなわち、リング状ばね部材２５と、このリング状ばね部材２５の縮径を阻止解除可能に阻止するばね止め２８とは、脱落阻止状態に保持されたころ４の保持を解除させて、各ころ４を保持器３のポケット５に入れるころ挿入手段を構成する。ポケット５内に挿入されたころ４は、図１８のように、保持器３の内外径のころ止め部５ａ，５ｂに係合することで、ポケット５内に保持される。
【００４４】
この場合も、ころ組込治具１０は、図１７および図１８に示すように、ころ４を保持器３のポケット５内に組み込んだ後、保持器３の外周から軸方向に引き抜くことにより、保持器３から取り外し可能とされる。その他の構成および作用効果は先の実施形態の場合と同様である。
【図面の簡単な説明】
【００４５】
【図１】（Ａ）はこの発明の一実施形態に係る保持器付きころ及びころ組込治具の組み合わせ体のころ組込治具でのころ保持状態を示す側面図、（Ｂ）は同斜視図である。
【図２】（Ａ）は同組み合わせ体の部分側面断面図、（Ｂ）は同部分正面断面図である。
【図３】同組み合わせ体の保持器ポケット内へころを組み込んだ状態を示す斜視図である。
【図４】同組み合わせ体の部分正面断面図である。
【図５】（Ａ）は保持器ポケット内へころを組み込んだ後に保持器からころ組込治具を外した保持器付きころの部分側面断面図、（Ｂ）は同部分正面断面図である。
【図６】（Ａ）は同保持器付きころの保持器を内輪案内とした例、（Ｂ）は外輪案内とした例、（Ｃ）は転動体案内とした例の各説明図である。
【図７】同保持器付きころを多列入力偏心軸に組み込んだ例を示す断面図である。
【図８】同保持器付きころを鍔付き内輪に組み込んだ例を示す断面図である。
【図９】この発明の他の実施形態に係る保持器付きころ及びころ組込治具の組み合わせ体のころ組込治具での保持状態を示す部分正面断面図である。
【図１０】（Ａ）はこの発明の他の実施形態に係る保持器付きころ及びころ組込治具の組み合わせ体のころ組込治具での保持状態を示す側面図、（Ｂ）は同斜視図である。
【図１１】（Ａ）は同組み合わせ体の部分側面断面図、（Ｂ）は同部分正面断面図である。
【図１２】（Ａ）は同組み合わせ体の保持器ポケット内へころを組み込んだ状態を示す側面図、（Ｂ）は同斜視図である。
【図１３】同組み合わせ体の部分正面断面図である。
【図１４】（Ａ）はこの発明のさらに他の実施形態に係る保持器付きころ及びころ組込治具の組み合わせ体のころ組込治具での保持状態を示す側面図、（Ｂ）は同斜視図である。
【図１５】（Ａ）は同ころ組込治具の部分側面断面図、（Ｂ）は同部分正面断面図である。
【図１６】同組み合わせ体の保持器ポケット内へころを組み込んだ状態を示す部分側面断面図である。
【図１７】（Ａ）は同組み合わせ体の保持器ポケット内へころを組み込んだ状態を示す側面図、（Ｂ）は同斜視図である。
【図１８】同組み合わせ体の部分正面断面図である。
【図１９】従来例の保持器付きころの多列入力偏心軸への組込みの説明図である。
【図２０】従来例におけるころ最大内径と保持器内径の説明図である。
【符号の説明】
【００４６】
１，１Ａ，１Ｂ…保持器付きころ及びころ組込治具の組み合わせ体
２…保持器付きころ
３…保持器
４…ころ
５…ポケット
５ａ…ころ止め部
５ｂ…ころ止め部
１０…ころ組込治具
１１…治具分割体
１２…環状部
１３…柱部
１３ａ…ころ止め部
１３ｂ…ころ止め部
１４…治具本体
１５…リング状ばね部材
１６…環状部
１６ａ…鍔部
１６ｂ…ばね止め
１７…柱部
１７ａ…ストッパ部
１７ｂ…ころ止め部
２４…治具本体
２５…リング状ばね部材
２５ａ…割り部
２６…環状部
２７…柱部
２７ａ…凹部
２７ｂ…ころ止め部
２８…ばね止め
３１，３１Ａ…ころ挿入手段
４２…保持器付き針状ころ形式の軸受
４３…保持器
４４…ころ
４５…ポケット
５０…偏心軸
ｄ１…最大内接円形
ｄ２…内径
【図１】
2009097713.tif 000003
【図２】
2009097713.tif 000004
【図３】
2009097713.tif 000005
【図４】
2009097713.tif 000006
【図５】
2009097713.tif 000007
【図６】
2009097713.tif 000008
【図７】
2009097713.tif 000009
【図８】
2009097713.tif 000010
【図９】
2009097713.tif 000011
【図１０】
2009097713.tif 000012
【図１１】
2009097713.tif 000013
【図１２】
2009097713.tif 000014
【図１３】
2009097713.tif 000015
【図１４】
2009097713.tif 000016
【図１５】
2009097713.tif 000017
【図１６】
2009097713.tif 000018
【図１７】
2009097713.tif 000019
【図１８】
2009097713.tif 000020
【図１９】
2009097713.tif 000021
【図２０】
2009097713.tif 000022